【手続補正書】
【提出日】平成20年6月10日(2008.6.10)
【手続補正１】
【補正対象書類名】明細書
【補正対象項目名】特許請求の範囲
【補正方法】変更
【補正の内容】
【特許請求の範囲】
【請求項１】  第１の接触子をその端部に有する第１のタイプのＩ／Ｏ電子パッケージの少なくとも１つと、第２の接触子をその２つの主面の一方に有する第２のタイプのＩ／Ｏ電子パッケージとを接続するための複合型コネクタ装置であって：
コネクタ部と；
コネクタ部から長手方向へ延び、第１のタイプのＩ／Ｏ電子パッケージを収容するための少なくとも第１の貯蔵空間部を規定する第１の案内構造部を有し、コネクタ部は、第１の貯蔵空間部に挿入されるべき第１のタイプのＩ／Ｏ電子パッケージの第１の接触子と接続するための接触子配列を有し；
第１の案内構造部に設けられ、第２のタイプのＩ／Ｏ電子パッケージを収容するための少なくとも第２の貯蔵空間部を規定する第２の案内構造部を有し、第２の案内構造部は、第２の貯蔵空間部に挿入されるべき第２のタイプのＩ／Ｏ電子パッケージの第２の接触子と接続するための接触端子をその上に有する；
ことを特徴とする複合型コネクタ装置。
【請求項２】  第１の案内構造部は：
コネクタに結合されそこから平行な関係で延びていて、第１のタイプのＩ／Ｏ電子パッケージの幅と実質的に等しい間隔で離間した１対の側壁と；
側壁の内側に沿って長手方向に延びていて、第１の貯蔵空間部を規定する案内手段と；
を備えたことを特徴とする請求項１記載の複合型コネクタ装置。
【請求項３】  第１の案内構造部に設けられ、第１のタイプのＩ／Ｏ電子パッケージを第１の貯蔵空間部から取り出すために操作可能な取り出し部をさらに備えたことを特徴とする請求項２記載の複合型コネクタ装置。
【請求項４】  取り出し部は：
第１の貯蔵空間部に近接して配置され、コネクタ部に向かうように、およびそれから離れるように操作可能な第１のパッケージ移動部材を有し、第１のパッケージ移動部材は、接触子配列に接続された第１のタイプのＩ／Ｏ電子パッケージの前端面と係合されるように第１の貯蔵空間部内に延びた係合部材を有していて；
第１のＩ／Ｏ電子パッケージを第１の貯蔵空間部から取り出すために、コネクタ部に向かうように、およびそれから離れるようにパッケージ移動部材を移動するための第１の移動部材を有する；
ことを特徴とする請求項３記載の複合型コネクタ装置。
【請求項５】  第１の移動部材は：
第１の案内構造部に移動可能に設けられていて、コネクタ部に向かうように、およびそれから離れるように操作可能な第１の取り出し部材と；
第１の案内構造部に設けられていて、第１のパッケージ移動部材の面に平行な面で回転するために配置された第１の枢軸レバーとを備えていて、第１の枢軸レバーの一方の端部が第１のパッケージ移動部材に結合されていて、第１の枢軸レバーの他方の端部が第１の取り出し部材に結合されている；
ことを特徴とする請求項４記載の複合型コネクタ装置。
【請求項６】  第１のパッケージ移動部材は、コネクタ部に向かうように、およびそれから離れるように移動可能な摺動プレートであることを特徴とする請求項５記載の複合型コネクタ装置。
【請求項７】  第２のパッケージ移動部材は、第１と第２の位置との間で移動可能であって、第１の位置へ向かう移動は、第２のタイプのＩ／Ｏ電子パッケージを取り出し、第２の位置への移動は、第２の接触子を接触端子と適切に整列するように第２のタイプのＩ／Ｏ電子パッケージを第２の貯蔵位置の適切な位置に配置することを特徴とする請求項３記載の複合型コネクタ装置。
【請求項８】  第２の案内構造部は：
第１の案内構造部に設けられ第１の案内構造部の少なくとも一部分を覆う基部と；
第１の案内構造部に近接して基部に固定されたプレートと；
を備えていて、基部が、プレートに面する接触端子の主面に設けられていることを特徴とする請求項１記載の複合型コネクタ装置。
【請求項９】  接触端子は、基部に固定された第１の端部と、第２の貯蔵空間部に挿入されるべき第２のタイプのＩ／Ｏ電子パッケージの第２の接触子と接触するための片持梁に構成された第２の端部とを各備えたことを特徴とする請求項８記載の複合型コネクタ装置。
【請求項１０】  第１の案内構造部または第２の案内構造部に移動可能に設けられていて、コネクタ部に向かうように、およびそれから離れるように移動するために操作可能な第２の取り出し部材と；
第２の貯蔵空間部に近接して配置され第２の案内構造部に移動可能に設けられていて、基部の面に平行な面において移動するために設けられた第２のパッケージ移動部材をさらに有し、第２のパッケージ移動部材の一方の端部は第２の取り出し部材に結合され、第２のパッケージ移動部材は、第２の貯蔵空間部に挿入されるべき第２のタイプのＩ／Ｏ電子パッケージの前端部を接触するために第２の貯蔵空間部内に延びた指向部を有し；
第２の取り出し部材の移動は、第２のタイプのＩ／Ｏ電子パッケージを第２の貯蔵空間部から取り出すために、コネクタ部に向かうように、およびそれから離れるように移動するために、第２のパッケージ移動部材の指向部を操作することを特徴とする請求項３記載の複合型コネクタ装置。
【請求項１１】  第２のパッケージ移動部材は、第１の位置と第２の位置との間で回転可能な枢軸レバーであって、第１の位置における枢軸レバーは、第２のタイプのＩ／Ｏ電子パッケージを第２の貯蔵空間部から取り出し、第２の位置における第２の枢軸レバーは、第２のタイプのＩ／Ｏ電子パッケージがさらに第２の貯蔵空間部内に挿入されるのを阻止し、それによって第２の接触子を接触端子と適切に整列し、第２の接触子と接触端子との信号整列を得ることを特徴とする請求項１０記載の複合型コネクタ装置。
【請求項１２】  第２の貯蔵空間部に近接して配置され、第２のタイプのＩ／Ｏ電子パッケージが第２の貯蔵空間部に完全に挿入された後信号を提供するために操作可能なセンサーをさらに備えたことを特徴とする請求項１０記載の複合型コネクタ装置。
【請求項１３】  第１の案内構造部に設けられていて、コネクタ部に向かうように、およびそれから離れるように移動するために操作可能な第２の取り出し部材と；
第２の貯蔵空間部に近接して配置され、基部の面に平行な面において移動するために設けられた第２のパッケージ移動部材をさらに有し、第２のパッケージ移動部材の一方の端部は第２の取り出し部材に結合され、第２のパッケージ移動部材は、第２の貯蔵空間部に挿入されるべき第２のタイプのＩ／Ｏ電子パッケージの前端部を接触するために第２の貯蔵空間部内に延びた指向端部を有し；
第２の取り出し部材の移動は、第２のタイプのＩ／Ｏ電子パッケージを第２の貯蔵空間部から取り出すために、コネクタ部に向かうように、およびそれから離れるように移動するために、第２のパッケージ移動部材の指向端部を操作することを特徴とする請求項３記載の複合型コネクタ装置。
【請求項１４】  第２の取り出し部材は、第１の案内構造部に摺動可能に設けられていて、パッケージ移動部材を移動するために第１の案内構造部と第２の案内構造部との間で延びた駆動部材をさらに備えたことを特徴とする請求項１３記載の複合型コネクタ装置。
【請求項１５】  第２のパッケージ移動部材は、枢軸レバーと、枢軸レバーの一端部に係合された駆動部材とを有することを特徴とする請求項１４記載の複合型コネクタ装置。
【請求項１６】  第２の案内構造部の基部は、第２の案内構造部を第１の案内構造部に電気的に接続するための接続手段を有することを特徴とする請求項８記載の複合型コネクタ装置。
【請求項１７】  接続手段は、可撓性のケーブルであることを特徴とする請求項１６記載の複合型コネクタ装置。
【請求項１８】  接続手段は、接触端子と接触子配列との間に固定された接続部を有することを特徴とする請求項１６記載の複合型コネクタ装置。
【請求項１９】  基部は、ＰＣ基板であることを特徴とする請求項８記載の複合型コネクタ装置。
【請求項２０】  プレートは、金属で形成されていることを特徴とする請求項８記載の複合型コネクタ装置。
【請求項２１】  第２のタイプのＩ／Ｏ電子パッケージの挿入を案内するために、コネクタ部に対向する方向へ、プレートから外方へ延びた案内プレートをさらに有することを特徴とする請求項２０記載の複合型コネクタ装置。
【請求項２２】  第１のタイプのＩ／Ｏ電子パッケージは、メモリーカードであることを特徴とする請求項１記載の複合型コネクタ装置。
【請求項２３】  第１のタイプのＩ／Ｏ電子パッケージは、コンパクトフラッシュであることを特徴とする請求項１記載の複合型コネクタ装置。
【請求項２４】  第２のタイプのＩ／Ｏ電子パッケージは、スマートカードであることを特徴とする請求項１記載の複合型コネクタ装置。
【請求項２５】  第２のタイプのＩ／Ｏ電子パッケージは、メモリースティックことを特徴とする請求項１記載の複合型コネクタ装置。
【請求項２６】  第２のタイプのＩ／Ｏ電子パッケージと外部の電子システムとの間で信号を搬送するための搬送手段をさらに有することを特徴とする請求項１記載の複合型コネクタ装置。
【請求項２７】  外部の電子システムは、各母基板を有するパーソナルコンピュータ、ラップトップコンピュータ、およびノートブックコンピュータのグループから選択されることを特徴とする請求項２６記載の複合型コネクタ装置。